(57)【要約】      （修正有）【課題】点滴静脈注射時における不意の肢体動作等で生じる注射針の動きをなくし、それにより注射部位の痛みを回避できる補助装具を提供する。【解決手段】点滴補助装具は、その機能を衝撃回避部、肢体固定部および張力回避部の三部構成とする。衝撃回避部では保護カバー７０１により注射部位７０９への直接的な接触や衝撃を回避し、肢体固定部との固定箇所に衝撃吸収材７０６を付して間接的にも注射部位に影響を与えないようにする。肢体固定部では、肢体に整合する形状と長さをもつ肢体固定床７１０と肢体の複数箇所を固定ベルト７０７で固定し、点滴部位付近の関節の屈曲を防止する。張力回避部では滑車形状突起物７１２にチューブを巻きつけ、その前後を固定ベルト７１３で固定し、ボトル側からのチューブの張力が注射針に伝わらないようにする。【選択図】図７
0003214815.tif 000002
【実用新案登録請求の範囲】
【請求項１】
注射部位との空間を確保できる構造の保護カバーを有する点滴静脈注射の補助装具において、保護カバーへの衝撃等が間接的に注射部位に伝わらないようにするために保護カバーと肢体固定床の間に衝撃吸収材を付した構造の点滴静脈注射の補助装具。
【請求項２】
注射部位至近の関節の屈曲による注射針の動きを防止する肢体固定機能およびチューブの張力による注射針の動きを防止する機能を併せ持つ請求項１記載の点滴静脈注射の補助装具。
【考案の詳細な説明】
【技術分野】
【０００１】  本考案は点滴静脈注射において、不意の肢体動作等で生じる注射針の動きをなくし、注射部位の苦痛を回避する点滴静脈注射の補助装具に関する。
【背景技術】
【０００２】  点滴静脈注射は一般的に点滴と呼ばれる。国内外で医療行為として広く知られており、その対象は乳児から老人まで幅広い。専用の針、チューブおよびボトルを使用し、薬液を静脈から体内に注入する方法を用いるが、一滴ずつ注入する手法のため、投薬開始から終了までに相当の時間を要する。【０００３】  そのうえ点滴中は注射部位において、針先が血管の静脈内に確実に留まるように針を皮膚面に暫時固定しておく必要がある。ついては皮膚面に固定した針が動かないようにするため、点滴を受ける対象者にはその間の肢体の安静が求められる。【０００４】  その際、点滴を受ける対象者に正常な行為能力があるときには、点滴を受けるうえでの行動に自制心が働くため問題は少ない。しかし乳児、幼児、認知症発症者、意識がない人あるいは点滴の習慣がない人等が点滴を受ける対象となるときは、対象者に安静への自意識が希薄なことがあり、結果的に点滴中に肢体を自由に動かすことにより、医療行為を阻害する懸念がある。【０００５】  特に注射部位至近の関節の屈曲動作、ボトル方向からのチューブの引張りおよび注射部位への直接的な衝撃等により、予め固定した針に直接的な力が伝わることや、それが高じて針の動きに発展すると注射部位に痛みが生じる。そしてその苦痛回避のためにさらに肢体を動かす等、動作に自制がなくなると注射部位から針の脱落、およびそれによる出血、あるいは静脈損傷等の医療事故の原因になる。【０００６】  また苦痛が原因しない状況でも、点滴を受ける人にとって精神的、肉体的なストレスが高じるときには、肢体の急激な動作だけで前述のような事故が起こる可能性がある。このようなことから、点滴とそれにかかわる事故防止については、これまで様々な対策が施されてきた。【０００７】  以下に示す数例の先行技術文献のように、様々な点滴補助装具が発明、考案されているのはその現れである。【０００８】  例えば特許文献１では、注射部位至近の肘関節や手関節を確実に固定するために、腕の丸みに整合する適切な弧と長さを持つ台を本体とし、本体と腕を関節の前後二箇所で固定するバンド状の固定具を備えた補助具により、点滴中における注射部位至近の関節の屈曲を防止するというものである。【０００９】  また例えば特許文献２では、腕への点滴中にチューブがボトル方向からの強い力で引張られた際に、その力が直接注射部位に伝搬しないようにするため、二組の固定帯によりチューブの動きを押さえ、かつ関節の屈曲により針が動かないように、副木部材と前述の固定帯で至近の関節を固定するというものである。【００１０】  特許文献３では点滴の針が抜去されるのを防止するために、腕に巻き付ける形の抜去防止具上に、チューブを巻き付けて固定するための二つの巻き掛け凸部を設けることで、ボトル側からのチューブの強い張力にも確実に対応し、注射部位への力の伝搬を回避することで注射部位の固定を保護するというものである。【００１１】  さらに例えば特許文献４では、点滴の針そのものに衝撃が直接伝わらないように注射部位と一定空間を有する保護カバーを設けることで、外部からの直接的な接触あるいは衝撃から注射部位を保護するというものである。【００１２】  一方、点滴を実施するために��時的に完全な保護が必要な人を対象とした点滴補助器具が発明あるいは考案されている。例えば特許文献５は、認知症患者が自ら点滴中の針を抜いてしまう医療事故を防ぐ器具として点滴中は体幹をベットに固定し、そのうえで点滴を施す腕に外からの衝撃が与えられないように硬質プレートで仕切り、さらに腕を固定したうえで点滴を施す方法である。
【先行技術文献】
【特許文献】
【００１３】
【特許文献１】特開平１０−３０５０９５
【特許文献２】実開平０５−０００１５３
【特許文献３】実登３１５２９０２
【特許文献４】特開２００２−１７２１６４
【特許文献５】実登３１５９９４２
【考案の概要】
【考案が解決しようとする課題】
【００１４】  本考案において解決すべき課題は、点滴中における不意の肢体動作等で生じる注射針の動きをなくし、それにより注射部位の苦痛を回避することである。【００１５】  点滴中における注射部位に違和感を生じるのは当然である。その違和感が対象者によっては点滴の回数等により重畳化し精神的ストレスに発展する。また点滴中の苦痛は違和感が明確化した一つの現象であり、多くの対象者に共通する感覚である。またそれは固定した注射針が何らかの形で動くことが一因となる。【００１６】  一方、現在、多くの点滴事例では、点滴を受ける対象者が、自制心により積極的に安静を保つことで、苦痛の原因となる針の動きを回避する努力が必要である。そのため前述のように点滴の頻度が高いと人によってはそれが負担となり、精神的ストレスに発展する。【００１７】  しかし自制心により安静を保持できる人でも、例えば点滴中の虫刺など不意な外部要因により突発的な肢体動作を余儀なくされることがあり、それが注射部位の動きと苦痛の原因に発展することが容易に考えられることから、点滴中に注射針が容易に動かないようにするための安全対策は必要である。【００１８】  ついては点滴補助装具を発明あるいは考案するにあたり念頭に置くべきことは、当該装具の使用目的を明確にし、その点滴対象者に適した仕様とすることである。そのうえで想定される注射針の動きを完全に回避できる機能を備えた点滴補助装具により、注射部位の苦痛回避を施すことが求められる。【００１９】  そこであらためて点滴を受ける対象者の不意の動作等において点滴中に針が動いて同部位に痛みを伴う状況を分析すると、その原因は主に以下の三つの場合となる。【００２０】  まず一つ目が注射部位至近における関節の屈曲である。静脈に刺す針は一定の柔軟性を持つといわれるが、関節の屈曲状態によっては関節の動きに針の柔軟性が対応できず、針が動いて体外に脱落したり、針先が先鋭であるため体内で静脈を破損し、内出血を引き起こす等の原因となる。【００２１】  二つ目がチューブがボトル側から引張られ、その力が注射部位に伝搬することである。例えば病院内において、病室の天井に固定されたボトル吊下装置からボトルを通しての点滴中、点滴を受けている人が不意に肢体を動かすことで、チューブに張力が生じ、それが注射部位の針の動きの原因となる。【００２２】  そして三つ目が、針に直接の衝撃等が与えられることによるものである。例えば自身の手足など肢体の一部による注射部位への接触、病院のベット等での就寝中の寝返り行為等における転落防止柵等への直接的な注射部位の接触等がそれにあたる。それにより注射針に直接衝撃や振動を与えたり、針の押し込みあるいは引き抜きの原因となる。【００２３】  点滴中の不意の動作等において、注射部位に痛みを伴う状況を回避するためには、以上の三つの原因をすべて同時に解決しなければならない。ついては今後この考案においては表記した三つの原因をすべて同時に解決するすることを、注射針の動きに伴う痛みの三要因の同時克服と表現する。【００２４】  振り返って特許文献１は、主に注射部位が動かないようにするための固定装置に関するもので、関節等の屈曲による注射針の脱落や静脈破損等は解決でき��が、チューブの張力から注射部位を保護することへの記載はない。【００２５】  特許文献２および特許文献３では、主にボトル方向からのチューブの張力が針先に伝搬されるのを回避することを主眼にしている。そのうち特許文献２は、二組の固定帯によりチューブを押さえ、また副木部材と前述の固定帯で肢体の注射部位至近の関節を固定することはできるが、針への直接的な接触防止措置が施されていない。【００２６】  また特許文献３は点滴針抜去防止具として主に二つの巻き掛け凸部にチューブを巻き付けることにより、ボトル方向からのチューブの張力が針先に伝搬されるのを回避できるが、関節の動作を制限する肢体固定が十分とはいえない。【００２７】  さらに特許文献４では、注射部位への直接的な衝撃を回避するため、針を保護するカバーを設け、カバーと注射部位に一定の空間を設けることで、直接的な針への接触や衝撃を回避することができる。しかしカバーの衝撃吸収が十分でないため、カバーへの直接的な衝撃により、それが間接的に腕に伝わり、注射針に影響を与えるという問題がある。またボトル側からのチューブの張力とその伝搬が注射部位に与える影響を回避する手段および、注射部位付近の肢体を固定する方法が十分とはいえない。【００２８】  以上のように前述の注射針の動きに伴う痛みの三要因の同時克服を念頭に先行技術文献を参照したとき、特許文献１から特許文献４における事例では、前述の痛みの三要因を同時に克服する手段は存在せず、本考案における課題を解決できない。【００２９】  ところで特許文献５に記載の方法では、確かに前述の注射針の動きに伴う痛みの三要因を同時に克服するという点では満足するが、それにより多くの対象者が点滴による精神的苦痛から解放されない可能性の高い例外的な事例であるため以下にそれを特記する。【００３０】  特許文献５では、点滴を受ける対象者を認知症患者に限定しており、点滴を完結させるために例えば体幹をベルトで固定するというように、点滴を受ける対象者の行動を極端に制限し、それによる精神的、身体的ストレスを十分承知したうえでの手段である。【００３１】  つまり、自意識によらず肢体を動かしてしまう対象者に点滴という医療行為を最優先させるための必要措置として、点滴補助にかかわるシステム構成がなされているという特徴がある。そのため反対に十分な自意識があり、自由の束縛を大きな精神的ストレスと感じる人に対して、長時間にわたる点滴補助の適切な手段とはいえない。【００３２】  それは例えば特許文献５に示す装置で一般的な幼児に点滴を施すことを想定したとき、不必要な拘束を強いて点滴をすることが、点滴の安全性を高めるどころか反対にストレスの多さから情緒不安定な状態に陥り、点滴を阻害する行為に発展することを考えればその理解は容易である。【００３３】  基本的に点滴補助装具に求められることは、前述した当該装具の使用目的を明確にし、その点滴対象者に適した仕様とすることを念頭に、当該装具を装着した際の行動の制限を最低限にすることである。そしてその上で前述の注射針の動きに伴う痛みの三要因を同時に克服することが必要となる。【００３４】  ついては、特許文献５における点滴補助の手段は本考案における課題を解決するものではないことをあらためて記す。【００３５】  一方、特許文献１から特許文献４までの先行技術文献に共通することは、どれも前述の注射針の動きに伴う痛みの三要因を同時に克服していないため、点滴中の不意な肢体動作等により注射部位に痛みが生じる可能性を排除できない。そしてそのことは結果的に点滴を受ける対象者の精神的負担を軽減できず、当該装具を装着することによる点滴への安心感を与えるということにはならない。【００３６】  つまり前述の注射針の動きに伴う痛みの三要因を同時に克服し、点滴を受ける対象者にとって注射部位を気にすることなく比較的自由に肢体を動かせることは、点滴への安心感を与えるとともに精神的負担を軽減するために点滴補助装具の機能として求められる必要条件なのである。【００３７】  ついては本考案における課題を解決するために、点滴中の注射部位における注射針の動きに伴う痛みの三要因を同時に克服し、かつ注射部位周辺以外の肢体動作に制限のない点滴静脈注射の補助装具を提供することを目的とする。
【課題を解決するための手段】
【００３８】  本考案が採用した主な手段は以下の構成となることを特徴とする。【００３９】  まず点滴静脈注射の補助装具を構成する中で、注射部位への直接的な接触や衝撃を回避するための衝撃回避部として図１のような保護カバー１０１を有することを特徴とする。この保護カバーはポリカーボネイト等の硬質で高い衝撃耐久性を有する材質で形成され、当該装具の装着時における違和感を緩和するために空気の流通性を保つ網状あるいは、多孔形状であることを特徴とする。【００４０】  図７に装具装着の実施例を示すが、本考案における点滴補助装具の完全装着時においては注射部位と保護カバーに空間を有する構造のため、保護カバーに衝撃があるときでも、その衝撃が直接注射部位に伝搬されないという形状的特徴を有する。また請求項１にあるように保護カバーが受けた衝撃の大部分は、図１の１０６に示すウレタン等軟質の衝撃吸収材の機能により大部分が吸収される。そして図２の肢体固定床内壁に実装された網状緩衝材２０２の副次的効果により、肢体への衝撃が著しく緩和される構造を特徴とする。【００４１】  さらに肢体固定部との接続および固定にかかわり、図１に示すように両面ファスナによる複数箇所の保護カバー固定ベルト１０２を有することを特徴とする。ここで保護カバー固定ベルトに両面ファスナを使用する理由は、衝撃回避部と肢体固定部をずれなく確実に、強力に、かつ素早く固定する必要があるからである。目的物を単純に多重に巻き付けるだけで接触面全体のファスナによる大きな固定効果が得られるところに特徴がある。【００４２】  また本考案における点滴静脈注射の補助装具の構成は、請求項１で示した機能による衝撃回避部、請求項２ではその機能に付加する形で肢体固定部および張力回避部の機能を併せ持つ三部構成によることを特徴とする。【００４３】  あらためて図２の肢体固定部における肢体固定床２０１はポリカーボネイト等の硬質で高い衝撃耐久性を有する材質で、固定した肢体への接触面積が大きくなるように予め肢体に整合する形状と長さを有することが特徴となる。なお当該補助装具装着時における発汗や空気の滞留による違和感への対策として、肢体固定床は空気の流通性を保つ網状あるいは、多孔形状を有することを特徴とする。【００４４】  そしてその内側一面に網状あるいは多孔形状の緩衝材２０２を配置することで、肢体固定床への肢体把持においての親和性と装着時における空気流通による快適性を持たせることを特徴とする。【００４５】  また肢体固定床２０１に設置した二箇所以上の両面ファスナと衝撃吸収材で構成された肢体固定ベルト２０３で注射部位の前後をしっかり固定でき、注射部位が関節にかかわるときは、当該関節の前後を肢体固定ベルトで留め、関節が動かないようにできることを特徴とする。その際、肢体固定ベルトに固定された網状あるいは多孔形状の緩衝材２０４は、肢体と肢体固定床とを確実にそして違和感なく固定させるための機能を併せ持つことを特徴とする。【００４６】  ここで肢体固定ベルト２０３に両面ファスナを使用する理由は、肢体と肢体固定部をずれなく確実に、かつ素早く固定する必要があることとともに、後述するチューブ固定ベルト（図６の６０１）を活用する際のファスナの凹面として有効に機能させるためである。【００４７】  なお図６はこの肢体固定ベルト６０６とチューブ固定ベルト６０１の接着時の様子について平面的に図示したものである。【００４８】  張力回避部は図６のように肢体固定ベルト６０６の上に固定された滑車形状の突起物６０７と、片面ファスナによる二また形状のチューブ固定ベルト６０１による構成であることを特徴とする。この滑車形状突起物は、円弧状の溝部が輸液チューブ６０２との間に高い摩擦力をもつ材質を有することを特徴とする。【００４９】  図６のように輸液チューブを一回巻きにして滑車形状突起物６０７の前後のチューブをチューブ固定ベルトにより固定すると、面ファスナによる高い固定効果と、当該突起物の側面周長および突起物とチューブとの接触面積に見合う高い摩擦力が得られるため、仮にチューブがボトルと当該突起物間においてボトル側から強い張力を受けたときでも、注射部位６０８への力の伝搬を完全に回避することができる。【００５０】  同時に当該突起物６０７は側面に溝を有するため、チューブが当該突起物から脱落しにくい構造となり、巻き付け効果の解消を回避できる。さらに当該突起物６０７への巻き付け効果により、チューブへの張力がチューブの一点に集中しないため、当該張力によるチューブの折れ曲がりやそれによる輸液流動の停止を回避できるという特徴を併せもつ。【００５１】  以上の構成により上述した本考案における課題を解決する。
【考案の効果】
【００５２】  本考案の請求項１では、保護カバーと肢体固定床との間に実装した衝撃吸収材の効果により、衝撃回避部で受けた衝撃等をほぼ吸収できるため、その影響を肢体固定部、肢体ひいては注射針に与えない効果が得られる。【００５３】  そして他の衝撃回避部の機能として当該保護カバーにより、外部から注射部位への直接的な接触や衝撃を回避することが可能となる。また当該保護カバーと注射部位に十分な空間があることにより、注射部位に対してカバーが受けた衝撃、および振動等の伝搬回避が可能となる。さらに網状あるいは多孔形状により空気の流通が十分となることから、注射部位周辺の空気の滞留を緩和し、また必要以上の発汗を防ぐことにより当該補助装具の装着による肢体への親和性を高め、違和感を緩和させることができる。【００５４】  次に本考案の請求項２では請求項１に示す機能を含む衝撃回避部の機能に肢体固定部および張力回避部の機能を付加した三部構成の機能を併せ持つが、それにより点滴中における不意の肢体動作等を含めた一般的な肢体の動きにおいて注射部位に力がかからなくなるため、注射針の動きによる当該箇所への痛みは回避できる。【００５５】  そしてそれにより点滴を受ける対象者は、点滴中の体感から点滴への高い安心感および信頼感を持つことができる。また点滴中において常に必要とされた安静状態の保持等、行動の自制が緩和されるため、点滴中における精神的ストレス緩和への高い効果が得られる。
【本考案を実施するための形態】
【実施例】
【００５６】  本考案における点滴静脈注射の補助装具の一例として、前腕部への点滴とそれにかかわる当該補助装具について以下に述べるとともに、関係図を図７に示す。なお本事例では、点滴を受ける対象者を行為能力のある成人とする。【００５７】  肢体固定部の肢体固定床７１０に把持された前腕部７１４を二組の肢体固定ベルト７０７で固定する。そして注射針を刺した後の輸液チューブ７０８を肢体固定ベルトの上部に設置された滑車形状突起物７１２に巻きつけ、その前後をチューブ固定ベルト７１３で固定する。【００５８】  そして衝撃回避部の肢体固定床装着ガイド７０４、７０５と肢体固定床の保護カバー装着面７１５を図中の矢印で示すように鉛直上方より確実に整合させ、保護カバー固定ベルト７０２により時計回りに肢体固定部と衝撃回避部を固定する。【００５９】  肢体固定床内面および肢体固定ベルトに実装した緩衝材７１１はすべてやわらかい素材でかつ網状の形状を有するため、肢体との間で肌への親和性と通気性を兼ね備える。またこの固定により肢体および注射部位至近の関節は肢体固定ベルトの強い締め付けがなくても完全に固定される。【００６０】  輸液チューブ７０８は、張力回避部の滑車形状突起物７１２への巻きつけによる摩擦力とチューブ固定ベルト７１３により完全に固定されるため、ボトル側からチューブに張力が生じても、その力が注射部位に伝わることがない。【００６１】  さらに衝撃回避部の保護カバー７０１の装着により、外部から注射部位への直接的な接触や衝撃が回避されるとともに、保護カバーが打撃など直接的な衝撃を受けたときの、間接的な振動等も衝撃吸収材７０６にて殆どが吸収されるので、肢体７１４および注射部位７０９への影響は回避される。【００６２】  以上の手段により点滴中の注射部位における針の動きをなくし、それによる苦痛を回避することで本考案における課題を解決することができた。【００６３】  そのうえ、当該補助装具装着時における装具と肢体接触部との親和性が充実しているため、装着部位における肢体の締め付け、あたり、あるいは必要以上の発汗等による違和感の発生を抑え、点滴を受ける対象者は長時間の点滴において安心感と点滴への信頼感を保持することができた。【００６４】  さらに注射部位に動きがなくなることから、当該補助装具を装着した際には、点滴時に当然のようになされてきた行動の制限が緩和され、それによる精神的負担を軽減することができるようになった。
【産業上の利用可能性】
【００６５】  この点滴補助装具は、自制意識の希薄な人への安全性の高い利用が期待できる他、動物への医療行為等に応用できる可能性がある。
【図面の簡単な説明】
【００６６】
【図１】本考案による点滴静脈注射の補助装具における衝撃回避部の概観図
【図２】本考案による点滴静脈注射の補助装具における肢体固定部の概観図
【図３】本考案による点滴静脈注射の補助装具における衝撃回避部の正面図
【図４】本考案による点滴静脈注射の補助装具における肢体固定部の正面図
【図５】片面ファスナによるチューブ固定ベルト
【図６】本考案による点滴静脈注射の補助装具における張力回避部付近の平面図
【図７】本考案による点滴静脈注射の補助装具の使用例を示す図
【符号の説明】
【００６７】１０１    保護カバー
１０２    保護カバー固定ベルト
１０３    ベルト固定具
１０４    外側肢体固定床装着ガイド
１０５    内側肢体固定床装着ガイド
１０６    衝撃吸収材
２０１    肢体固定床
２０２    網状緩衝材（多孔形状緩衝材）
２０３    肢体固定ベルト
２０４    網状緩衝材（多孔形状緩衝材）
２０５    保護カバー装着面
３０１    保護カバー
３０２    保護カバー固定ベルト
３０３    ベルト固定具
３０４    外側肢体固定床装着ガイド
３０５    内側肢体固定床装着ガイド
３０６    衝撃吸収材
４０１    肢体固定床
４０２    肢体固定ベルト
４０３    網状緩衝材（多孔形状緩衝材）
４０４    網状緩衝材（多孔形状緩衝材）
４０５    滑車形状突起物
４０６    肢体
４０７    ベルト固定具
５０１    チューブ固定ベルト
６０１    チューブ固定ベルト
６０２    輸液チューブ
６０３    肢体
６０４    保護カバー装着面
６０５    網状緩衝材（多孔形状緩衝材）
６０６    肢体固定ベルト
６０７    滑車形状突起物
６０８    注射部位
７０１    保護カバー
７０２    保護カバー固定ベルト
７０３    ベルト固定具
７０４    外側肢体固定床装着ガイド
７０５    内側肢体固定床装着ガイド
７０６    衝撃吸収材
７０７    肢体固定ベルト
７０８    輸液チューブ
７０９    注射部位
７１０    肢体固定床
７１１    網状緩衝材（多孔形状緩衝材）
７１２    滑車形状突起物
７１３    チューブ固定ベルト
７１４    肢体（前腕部）
７１５    保護カバー装着面
【図１】
0003214815.tif 000003
【図２】
0003214815.tif 000004
【図３】
0003214815.tif 000005
【図４】
0003214815.tif 000006
【図５】
0003214815.tif 000007
【図６】
0003214815.tif 000008
【図７】
0003214815.tif 000009